(57)【特許請求の範囲】
【請求項１】
打ち出し機構により打ち出したステープルの脚部を用紙貫通後にクリンチャ部で折り曲げるホッチキスにおけるステープルのクリンチ機構において、
上記クリンチャ部を、ステープルの各脚部の先端を受けて折り曲げをガイドする１対の弯曲した折り曲げガイド面をガイド方向に連続させて形成するとともに、
上記いずれか一方の折り曲げガイド面を、折り曲げ時に上記脚部が横滑りするようにガイド方向に対して直交する方向に傾斜させた
ことを特徴とするホッチキスにおけるステープルのクリンチ機構。
【請求項２】
前記両側の折り曲げガイド面の境界を一方の折り曲げガイド面側に偏った位置に設けた請求項１記載のホッチキスにおけるステープルのクリンチ機構。
【発明の詳細な説明】
【０００１】
【発明の属する技術分野】
本発明はホッチキスのドライバによって打ち出したステープルの脚部を用紙貫通後にクリンチャ部で折り曲げるステープルのクリンチ機構に関する。
【０００２】
【従来技術】
ホッチキスは、コ字形のステープルを打ち出して用紙を貫通させた後、ステープルの脚部を略直角に折り曲げて用紙を綴じるものであるが、ステープルの脚部は通常の場合、それぞれの先端が接近するように折り曲げられるので、脚部が互いにぶつかりあって干渉してしまうことがあり、折り曲げ不良が生じることがある。
【０００３】
このような不都合を防ぐため、図１１に示されるようにクリンチャ部２０の両側の折り曲げガイド面２０ａ、２０ｂの境界２１を一方の折り曲げガイド面２０ａ側に偏った位置に設けたものが知られている。このようなクリンチャ部によれば、用紙を貫通した後、ステープルの脚部２２はクリンチャ部の折り曲げガイド面２０ａ、２０ｂに当たり、内側にガイドされるときに脚部２２の先端はカーリングしていく。クリンチャ部の境界２１は一方にずれているので、このずれによって同図の左側の脚部２ａの先端が急激にカーリングされ、時間的に遅れて右側の脚部２がカーリングされ、遅れて折り曲げられた方の脚部２２の先端が先に折り曲げられた脚部２２を抱きかかえるように形成される（図１２参照）から、脚部同士の干渉は防止できるとされていた。
【０００４】
【発明が解決しようとする課題】
しかしながら、上記のクリンチ機構でも脚部の先端の干渉を完全にはなくすことができず、脚部の折り曲げ不良が発生してしまうことがあった。
【０００５】
本発明は上記欠点を解消し、ステープルの脚部の折り曲げ時に両側の脚部が互いに干渉することがないホッチキスにおけるステープルのクリンチ機構を提供することをその課題とする。
【０００６】
【課題を解決するための手段】
前記課題を解決するため、本発明に係るホッチキスにおけるステープルのクリンチ機構は、打ち出し機構により打ち出したステープルの脚部を用紙貫通後にクリンチャ部で折り曲げるホッチキスにおけるステープルのクリンチ機構において、上記クリンチャ部を、ステープルの各脚部の先端を受けて折り曲げをガイドする１対の弯曲した折り曲げガイド面をガイド方向に連続させて形成するとともに、上記いずれか一方の折り曲げガイド面を、折り曲げ時に上記脚部が横滑りするようにガイド方向に対して直交する方向に傾斜させたことを特徴とする。
【０００７】
なお、前記両側の折り曲げガイド面の境界を一方の折り曲げガイド面側に偏った位置に設けるようにするのが好ましい。
【０００８】
図１は電動ホッチキスの要部を示すもので、符号ａはベース、ｂはその上方に設けられたマガジンである。この電動ホッチキスは図示しない電動モータと駆動駆動機構によってドライバ１を駆動してステープル２を綴り台３上の被綴り材Ｐに貫通させるものであるが、ステープル２の脚部２ａの先端が被綴り材Ｐを貫通してその裏面の下方に突出するまで打ち込んだ時、その先端は所定の間隔をおいて前後に並設された２枚のクリンチャガイド４内に挿入されるように構成されている。クリンチャガイド４の内側には、ステープル２の脚部２ａの余分な部分を切断する円柱状の押し切りカッター５と、カッター５の両側に配置された可動クリンチャ６（図２参照）とが配置されている。ドライバ１により打ち出されたステープル２の脚部２ａは被綴り材貫通後に押し切りカッター５で切断された後、可動クリンチャ６で折り曲げられる。
【０００９】
押し切りカッター５は駆動リンク７の前端に形成され、クリンチャガイド４に形成された切断孔８に出没するように構成され、被綴り材Ｐを貫通したステープル２の脚部２ａの先端が長すぎるときに、押し切りカッター５を前進させ、クリンチャガイド４の切断孔８を貫通させることによって押し切りカッター５の上部周縁で切断孔８に突出しているステープル２の脚部２ａの先端を押し切るものである。
【００１０】
カッター５の端面５ａの下部にはクリンチャ部９が形成されている。クリンチャ部９は、図３、図４及び図５に示されるように、ステープル２の各脚部２ａを受けて折り曲げをガイドする左右１対の折り曲げガイド面９ａ、９ｂによって形成されている。折り曲げガイド面９ａ、９ｂは弯曲し、両側の折り曲げガイド面９ａ、９ｂの弯曲度合いは互いに異なるように形成されている。また、両側の折り曲げガイド面９ａ、９ｂの境界１０は押し切りカッター５のセンターよりも一方の折り曲げガイド面９ａ側に偏るように配置されている。
【００１１】
また、図３の左側の折り曲げガイド面９ａはガイド方向に対して直交する方向、すなわちカッター５の端面５ａから遠い方が低くなるように傾斜されている。
【００１２】
次に、可動クリンチャ６は、図２、図６に示されるように、クリンチャガイド４に設けられた支軸１１に回動自在に取り付けられ、被綴り材Ｐを貫通したステープル２の脚部２ａを最初に受けて予備的に折り曲げた後に上記クリンチャ部９に導く第１の位置（図７（ａ）  の位置）と、クリンチャ部９で折り曲げられたステープル２の脚部２ａを被綴り材Ｐ側に押し曲げて被綴り材Ｐの下面に押し付ける第２の位置（図７（ｂ）  の位置）との間を回動するものである。
【００１３】
なお、押し切りカッター５及び可動クリンチャ６の作動機構は前掲実願平８ー３０３６０２号公報の図１、図５等に開示されたものか、これと同等のものを利用すればよく、ここでは省略する。
【００１４】
なお、押し切りカッター５はステープル脚部２ａの切断後、後退した時にはクリンチャ部９は２枚のクリンチャガイド４の内側に残るように形成されている。
【００１５】
また、ドライバ１が下死点まで移動した後、まず押し切りカッター５が作動してステープル２の脚部２ａを切断し、その後に可動クリンチャ６が作動するように作動タイミングが制御されている。
【００１６】
上記構成によれば、ドライバ１によって図６のように被綴り材Ｐを貫通したステープル２の脚部２ａはクリンチャガイド４の内側に挿入され、その先端は第１の位置にある可動クリンチャ６の傾斜上面に当り、この上面に沿って内側に案内されて弯曲し、予備的に折り曲げられる。続いて押し切りカッター５が作動するが、被綴り材Ｐの枚数が多く、十分な厚さがあるときは、被綴り材Ｐを貫通した脚部２ａの長さは短いので、切断されることがない。次に、クリンチ機構が作動し、駆動レバー１２が押し上げられる。これにより、図７（ａ）  に示すように、駆動レバー１２が押し上げられる。可動クリンチャ６の後端は支軸１１を中心に先端が上方に回動し、ステープル２の脚部２ａを押し曲げていく。このように、可動クリンチャ６が第２の位置に移動していくとき、ステープル２の各脚部２ａの先端はカッター５の端面下部のクリンチャ部９に形成された折り曲げガイド面９ａ、９ｂのガイド面に沿って摺動案内され、貫通した脚部２ａ全体がカーリングされ、最終的に同図（ｂ）  のように折り曲げられる。
【００１７】
ところで、クリンチャ部９の折り曲げガイド面９ａ、９ｂは弯曲し、両側の折り曲げガイド面９ａ、９ｂの境界１０は押し切りカッター５のセンターよりも一方の折り曲げガイド面９ａ側に偏るように配置されているから、同図（ａ）  の左側の折り曲げガイド面９ａによってガイドされた方のステープル２の脚部２ａが右側の脚部２ａよりも時間的に早く曲がる。しかも、左側の折り曲げガイド面９ａが、ガイド方向に対して直交する方向に傾斜しているので、左側のステープル２の脚部２ａの先端は図８の矢印のように上記ステープルガイド面９ａの傾斜に沿っても曲がっていく。このため、左右の脚部２ａが交差するときに図９のようになり、互いに干渉することがないから、常に良好な綴じが実現できる。
【００１８】
これに対し、被綴り材が薄く（枚数が少ない）て貫通した脚部２ａが長すぎるときは、余分な部分は図１０に示されるように、可動クリンチャ６に当たり、さらに折り曲げガイド面９ａ、９ｂに沿って予備的に折り曲げられた後に切断孔８に露出するので、押し切りカッター５が前方に作動したときに切断される。次に、クリンチ機構が作動し、上述と同様にして可動クリンチャ６により脚部２ａが折り曲げられるが、この場合も一方の折り曲げガイド面９ａが、ガイド方向に対して直交する方向に傾斜しているので、両側の脚部２ａが交差するときに互いに干渉することがない。
【００１９】
なお、前記両側の折り曲げガイド面の境界１０を一方の折り曲げガイド面側に偏った位置に設けたときは、上述のように両側の脚部２ａの折り曲げに時間差があるのでより干渉しにくい効果があるが、一方の脚部２ａは折り曲げガイド面９ａに沿ってガイド方向に対して直交する方向に曲がるので、境界１０を中央に形成してもよい。
【図面の簡単な説明】
【図１】本発明に係る電動ホッチキスの要部の構成を示す縦断面図
【図２】上記電動ホッチキスによるステープルの切断と折り曲げ部の要部の斜視図
【図３】押し切りカッターとその周囲の側面図
【図４】押し切りカッターの正面図
【図５】押し切りカッターの斜視図
【図６】クリンチ機構の全体の正面図
【図７】（ａ）  （ｂ）  はクリンチ機構の作動態様説明図
【図８】一方の折畳みガイド面によるガイド態様説明図
【図９】ステープル脚部の折り曲げ状態説明図
【図１０】ステープルの切断態様説明図
【図１１】従来のステープルのクリンチ機構による脚部の折り曲げ態様説明図
【図１２】上記クリンチ機構によって折り曲げられたステープルの脚部の状態説明図
【符号の説明】
１  ドライバ
２  ステープル
２ａ  脚部
４  クリンチャガイド
５  押し切りカッター
７  駆動リンク
８  切断孔
９  クリンチャ部
９ａ、９ｂ  折り曲げガイド面
１０  境界
【図１】
0003598765.tif 000002
【図２】
0003598765.tif 000003
【図３】
0003598765.tif 000004
【図４】
0003598765.tif 000005
【図５】
0003598765.tif 000006
【図６】
0003598765.tif 000007
【図７】
0003598765.tif 000008
【図８】
0003598765.tif 000009
【図９】
0003598765.tif 000010
【図１０】
0003598765.tif 000011
【図１１】
0003598765.tif 000012
【図１２】
0003598765.tif 000013